Podtech/llm-jp-corpus-v4-ja_patent huggingface dataset:
(57)【要約】【課題】番組開始直前または番組の運行状況による緊急での素材の追加、変更のステップを簡略化し、プレイリスト再作成とビデオサーバへの収録の工程をなくし、送出可能となるまでに要する時間を高速化すること。【解決手段】ビデオサーバに収録された各番組素材をプレイリストに従って読出し送出する放送番組送出システムにおいて、プレイリストにない素材を送出する場合、送出操作機器により、上記プレイリストの表示画面上で素材を送出する送出機器の機番のみを指定した空白の送出イベント行を追加し、追加した空白イベント行に対し送出開始操作を実行し、対応する上記送出機器からの再生出力を選択送出するよう該当機器を制御するようにしたものである。【選択図】  図１
2008219219.tif 000002
【特許請求の範囲】
【請求項１】
ビデオサーバに収録された各番組素材をプレイリストに従って読出し送出する放送番組送出システムにおいて、プレイリストにない素材を送出する場合、送出操作機器により、上記プレイリストの表示画面上で素材を送出する送出機器の機番のみを指定した空白の送出イベント行を追加し、追加した空白イベント行に対し送出開始操作を実行し、対応する上記送出機器からの再生出力を選択送出するよう該当機器を制御することを特徴とする放送番組送出システムの制御方法。
【発明の詳細な説明】
【技術分野】
【０００１】
本発明は、放送番組送出装置に関し、例えばテレビ放送局の報道部において、ニュース番組を収録して送出するニュース番組収録送出装置に適応して好適なものである。
【背景技術】
【０００２】
従来の放送素材の収録送出システムにおいては、ビデオサーバ等の映像音声送出装置を備え、該映像音声送出装置に、番組やＣＭ(コマーシャル)等の放送素材を収録し、編集して送出する。
この種の放送番組送出システムにおいては、ビデオサーバ等の映像音声送出装置に記録された各番組素材を、編集、再収録又は専用端末等で事前にプレビューを行い送出する。
【特許文献１】特開２００４−２７４５６８公報
【発明の開示】
【発明が解決しようとする課題】
【０００３】
このように、放送する番組素材を事前にビデオサーバなどの映像音声送出装置に記録し、各素材を送出操作機器画面上に表示されたプレイリストに従って、手動で順次送出する放送番組送出装置においては、送出する番組素材が追加された場合、搬入された素材を、収録業務によりビデオサーバへ収録し、またプレイリストの再作成を行う必要があったため、素材搬入から送出可能となるまでに多くの時間と労力を要していた。
本発明はこれらの欠点を除去し、番組開始直前または番組の運行状況による緊急での素材の追加、変更のステップを簡略化し、プレイリスト再作成とビデオサーバへの収録の工程をなくし、送出可能となるまでに要する時間を高速化することを目的とする。
【課題を解決するための手段】
【０００４】
本発明は上記目的を達成するため、ビデオサーバに収録された各番組素材をプレイリストに従って読出し送出する放送番組送出システムにおいて、プレイリストにない素材を送出する場合、送出操作機器により、上記プレイリストの表示画面上で素材を送出する送出機器の機番のみを指定した空白の送出イベント行を追加し、追加した空白イベント行に対し送出開始操作を実行し、対応する上記送出機器からの再生出力を選択送出するよう該当機器を制御するようにしたものである。
【発明の効果】
【０００５】
本発明によれば、放送番組送出装置、例えば、ニュース番組を収録して送出するニュース番組送出装置において、ニュース番組開始直前またはニュース番組の運行状況による緊急での素材の追加、変更ステップを簡略化できるため、送出可能となるまでに要する時間と労力を削減することが可能となる。
【発明を実施するための最良の形態】
【０００６】
以下、本システムの概略構成を示す図１、本システムの送出操作機器の操作画面を示す図２を用いて、本発明を詳細に説明する。
番組を構成する複数の素材１０１は、再生機器(機器Ａ)１０６を用いて、収録操作機器１０３の操作により、事前にビデオサーバ１０２に収録される。また、上位システム(図示せず)で事前に作成され、データサーバ１０９を介してデータベース１１０に記録されたプレイリスト１０４に従って、送出操作機器１０５を操作し、ビデオサーバ１０２から順次、番組を送出する。
この放送番組送出装置において、送出操作機器１０５の送出操作画面(図２)にはプレイリスト２０１が表示されており、このプレイリスト２０１に従って順次送出操作を行う。
ここで、例えば緊急でニュース素材を追加する場合、表示されているプレイリスト２０１の任意の行を選択し、空白イベント挿入用ボタン２０２を実行する。
これにより、プレイリスト２０１に、空白イベント行２０３が挿入される。挿入された空白イベント行２０３には、素材を送出する機番(機器番号)のみが指定される。図２の場合は、再生機器１０６の機番である機器Ａが指定される。
ここで、再生機器１０６の機番である機器Ａが挿入された空白イベントに対し送出開始操作を実行することにより、送出操作機器１０５は、再生機器１０６に対し再生制御を、スイッチャ１０８に対し再生機器１０６の再生出力に切り替える制御を実行する。
これにより、プレイリストの再作成及びビデオサーバへの収録の工程をすることなく、事前に再生機器１０６にセットされた搬入素材１０１を、送出映像音声として送出可能となる。
【図面の簡単な説明】
【０００７】
【図１】本発明の番組収録送出システムの概略構成を示すブロック図
【図２】本発明の操作機器画面による空白イベント挿入操作を示す模式図
【符号の説明】
【０００８】
１０１：素材、１０２：ビデオサーバ、１０３：収録操作機器、１０４，２０１：プレイリスト、１０５：送出操作機器、１０６：再生機器、１０８：スイッチャ、１０９：データサーバ、１１０：データベース、２０２：空白イベント挿入用ボタン、２０３：空白イベント行。
【図１】
2008219219.tif 000003
【図２】
2008219219.tif 000004
(57)【要約】【課題】防水化が実現でき、内部に収容するための領域を確保する必要もない携帯端末装置を提供する。【解決手段】アンテナ６が着脱可能な携帯端末装置Ｓにおいて、前記アンテナ６の基端部に磁石５を備え、前記磁石５の取付部となる他の磁石１を前記携帯端末装置Ｓに備え、前記アンテナ６と前記携帯端末装置Ｓとを磁石を用いて物理的かつ電気的に接続する。【選択図】図１
2008219537.tif 000002
【特許請求の範囲】
【請求項１】
アンテナが着脱可能な携帯端末装置において、
前記アンテナの基端部に磁石を備え、
前記磁石の取付部となる他の磁石を前記携帯端末装置に備え、
前記アンテナと前記携帯端末装置とを磁石を用いて物理的かつ電気的に接続することを特徴とする携帯端末装置。
【請求項２】
請求項１に記載の携帯端末装置において、
前記携帯端末装置は、給電点を更に備え、
前記アンテナと前記給電点とを容量的に接続することを特徴とする携帯端末装置。
【請求項３】
請求項１又は２に記載の携帯端末装置において、
前記携帯端末装置は、ヒンジ部を更に備え、
前記ヒンジ部を介して前記携帯端末装置を開閉することを特徴とする携帯端末装置。
【請求項４】
請求項１乃至３の何れか一項に記載の携帯端末装置において、
前記アンテナは、ヒンジ部を備え、該アンテナの角度を自在に変更することが可能であること特徴とする携帯端末装置。
【発明の詳細な説明】
【技術分野】
【０００１】
本願発明は、携帯端末装置の技術分野に関する。
【背景技術】
【０００２】
近年地上波ディジタルＴＶの開始に伴い、対応した携帯端末装置が発売されている。また、携帯端末装置の防水対応も期待されている。地上波ディジタルＴＶ用にはＵＨＦ帯が用いられ、低い周波数に対応したアンテナが必要とされている。
【０００３】
また、アナログ放送帯域(ＶＨＦ帯)に対応した携帯端末装置もあり、携帯端末装置にはホイップアンテナの搭載が主流となっている。しかし、ホイップアンテナでは、収納に備え携帯端末装置内部に領域を確保しなければならないが、携帯端末装置の小型化・薄型化に伴い、ホイップアンテナの収納時の実装領域の確保が困難になっていた。
【０００４】
そこで、外付けのホイップアンテナを用意し、当該アンテナと携帯端末装置とをコネクタを用いて接続することが考えられていた（特許文献１等）。
【特許文献１】実開昭６０−１０３９１５号公報
【発明の開示】
【発明が解決しようとする課題】
【０００５】
しかしながら、上述した従来技術では、アンテナと携帯端末装置とを接続するコネクタが雨水等に触れることによって、絶縁不良・腐食を起こす可能性があり、当該携帯端末装置の防水化には困難であった。
【０００６】
本願発明は、以上の点に鑑みてなされたものであり、その課題の一例は、防水化が実現でき、内部に収容するための領域を確保する必要もない携帯端末装置を提供することにある。
【課題を解決するための手段】
【０００７】
上記課題を解決するために、請求項１に記載の発明は、アンテナが着脱可能な携帯端末装置において、前記アンテナの基端部に磁石を備え、前記磁石の取付部となる他の磁石を前記携帯端末装置に備え、前記アンテナと前記携帯端末装置とを磁石を用いて物理的かつ電気的に接続することを特徴とする。
【０００８】
請求項２に記載の発明は、請求項１に記載の携帯端末装置において、前記携帯端末装置は、給電点を更に備え、前記アンテナと前記給電点とを容量的に接続することを特徴とする。
【０００９】
請求項３に記載の発明は、請求項１又は２に記載の携帯端末装置において、前記携帯端末装置は、ヒンジ部を更に備え、前記ヒンジ部を介して前記携帯端末装置を開閉することを特徴とする。
【００１０】
請求項４に記載の発明は、請求項１乃至３の何れか一項に記載の携帯端末装置において、前記アンテナは、ヒンジ部を備え、該アンテナの角度を自在に変更することが可能であること特徴とする。
【発明の効果】
【００１１】
以上説明したように本願発明によれば、携帯端末装置とアンテナと磁石を用いて物理的
かつ電気的に接続することにより、当該接続部分が水等に触れることがないため、当該接続部分の絶縁不良や腐食することなく防水化が実現できる。また、外付けのアンテナのため、携帯端末装置内に当該アンテナを収納するための領域を確保する必要がない。更に、アンテナと携帯端末装置の給電点とを容量的に結合できるため、アンテナ特性を劣化させることはない。
【発明を実施するための最良の形態】
【００１２】
以下、本願発明の最良の実施形態について、図面を参照して説明する。
【００１３】
先ず、本実施形態に係る携帯端末装置Ｓの構成及び機能について、図１を用いて説明する。なお、図１は、本実施形態に係る携帯端末装置Ｓの概要構成の一例を示す図である。
【００１４】
図１に示すように、携帯端末装置Ｓは、磁石１及び５と、給電点２と、無線部３と、基板４と、アンテナ６と、を備えており、アンテナ６は外部から取り付けるものである。
【００１５】
アンテナ６と給電点２とを接続する手段として、磁石１及び５により物理的かつ電気的に接続する。アンテナ６と給電点２とを容量的に接続することにより、従来と同等のアンテナ特性を実現できる。また、コネクト部分が水等に触れることがないため、絶縁不良・腐食などなく、防水端末装置としても利用できる。
【００１６】
また、本実施形態に係る携帯端末装置Ｓは、ヒンジ部を更に備え、ヒンジ部を介して当該携帯端末装置を開閉する。
【００１７】
更に、当該アンテナは、ヒンジ部を備え、当該アンテナの角度を自在に変更することが可能である。
【００１８】
本実施形態によれば、携帯端末装置Ｓとアンテナ６との接続において磁石１及び５を用いることにより、その接続部分が水等に触れることがないため、絶縁不良や腐食することなく防水化が実現できる。また、携帯端末装置Ｓと接続するアンテナ６は外付けのアンテナであるため、携帯端末装置Ｓ内に当該アンテナ６を収納するための領域を確保する必要がない。更に、アンテナ６と携帯端末装置Ｓの給電点２とを容量的に結合できるため、アンテナ特性を劣化させることはない。
【００１９】
なお、上記実施形態においては、アンテナの種別に限定せずに携帯端末装置Ｓに適用して説明したが、例えばホイップ型、逆L型、逆F型、モノポール型、ミアンダ型、ヘリカル型、板金型等様々なアンテナを携帯端末装置Ｓに適用しても良い。また、ＴＶ用アンテナだけでなく、ＦＭ、ＡＭ等でも同様である。
【図面の簡単な説明】
【００２０】
【図１】本実施形態に係る携帯端末装置Ｓの概要構成の一例を示す図である。
【符号の説明】
【００２１】
１  磁石
２  給電点
３  無線部
４  基板
５  磁石
６  アンテナ
【図１】
2008219537.tif 000003
(57)【要約】      （修正有）【課題】便利で高性能な携帯電話を提供する。【解決手段】携帯電話で、ＴＶなどの録画や（ＳＤカード）を使っての、写真などの、動画や保存そして、マイクを使っての、音声の録音、ＳＤカードの交換で海外の言葉の、翻訳など、電子辞書とうの、事から、イヤホンでの、（ステレオ）音楽の、ダウンロードで、好きな曲が、楽しめて、電源は、太陽電池も可、太陽電池からの、充電も、太陽電池が、作動しない時バックの、中とか、ポケットの中では、中に有るバッテリー電池が、作動する。マイクは、ステレオ。災害などに、抜群の効果を、表す。電車の、改札口などの、お財布の、ように使え、その他、自動販売機や、買い物も可能。【選択図】図１
2008219845.tif 000002
【特許請求の範囲】
【請求項１】
携帯電話で、ＴＶなどの録画や（ＳＤカード）を使っての、写真などの、動画や保存そして、マイクを使っての、音声の録音、ＳＤカードの交換で海外の言葉の、翻訳など、電子辞書とうの、事から、イヤホンでの、（ステレオ）音楽の、ダウンロードで、好きな曲が、楽しめて、電源は、太陽電池も可、太陽電池からの、充電も、太陽電池が、作動しない時バックの、中とか、ポケットの中では、中に有るバッテリー電池が、作動する。マイクは、ステレオ。
災害などに、抜群の効果を、表す。
電車の、改札口などの、お財布の、ように使え、その他、自動販売機や、買い物も可能。
【発明の詳細な説明】
【技術分野】
【０００１】太陽電池と、バッテリー電池で、ゲームとかＳＤカードの、交換で色んな事に使え、ダウンロードで、音楽、そして買い物などが可能。
【発明の開示】
【発明が解決しょうとする課題】
【０００２】電池切れや、充電の必要がない。
【課題を、解決するための手段】
【０００３】全ての、事に対応します。
【発明の効果】
【０００４】何時、どんな時も使える。
【発明を実地するための最良の形態】
【０００５】ジャンルに、おいてＳＤカードを、取り替えて使う。電波時計内蔵で正確な時を、刻みます。
【図面の簡単な説明】
【図１】は平面図を表す図である。
【図２】は立面図を表す図である。
【符号の説明】
Ａ−液晶画面  Ｂ−本体  Ｃ−マイク  Ｄ−太陽電池  Ｅ−ＳＤカード入り口  Ｆ−イヤホン差し込み口  Ｇ−カメラ
【図１】
2008219845.tif 000003
【図２】
2008219845.tif 000004
(57)【要約】【課題】使用者の嗜好に迅速に対処できる携帯電話機用芳香シールを提供する。【解決手段】シール１は、芳香を発する芳香発散層２と、芳香発散層２の裏面に設けた粘着層３と、粘着層３で接合した剥離紙４からなる。芳香発散層２は香料の含浸された不織布からなる。シール１は携帯電話機５の通話口７の付近に貼着する。シール１は携帯電話機５の筐体６と同じ色彩になっている。前記構成を有することにより使用者の嗜好に迅速に対処できる携帯電話機用芳香シールを提供する。【選択図】図１
2008219822.tif 000002
【特許請求の範囲】
【請求項１】
携帯電話機の通話口の付近に貼着するシールであって、芳香を発する芳香発散層と、該芳香発散層の裏面に設けた粘着層とからなることを特徴とする携帯電話機用芳香シール。
【請求項２】
上記芳香発散層は香料の含浸された不織布で構成してあることを特徴とする請求項１に記載の携帯電話機用芳香シール。
【請求項３】
上記芳香発散層が携帯電話機の筐体と同じ色彩であることを特徴とする請求項１または請求項２に記載の携帯電話機用芳香シール。
【発明の詳細な説明】
【技術分野】
【０００１】
本発明は、携帯電話機の通話口の付近に貼着する携帯電話機用芳香シールに関する。
【背景技術】
【０００２】
近年、携帯電話機の普及が進み、使用者の嗜好に合った種々のアクセサリが提案されている（特許文献１参照）。また、芳香を嗅ぎながら通話したいという人が増えている。しかし、好みの香りは人によって異なり、その要求に応えるのは容易ではない。
【特許文献１】特開２００２−１５３３１４号公報
【発明の開示】
【発明が解決しようとする課題】
【０００３】
本発明は、このような事情に鑑み、使用者の嗜好に迅速に対処できる携帯電話機用芳香シールを提供することを目的とする。
【課題を解決するための手段】
【０００４】
上記課題を解決するための本発明は、携帯電話機の通話口の付近に貼着するシールであって、芳香を発する芳香発散層と、該芳香発散層の裏面に設けた粘着層とからなることを特徴とする。
上記芳香発散層は香料の含浸された不織布で構成してあるのが好ましい。
上記芳香発散層は携帯電話機の筐体と同じ色彩であるのが好ましい。
【発明の効果】
【０００５】
本発明によれば、使用者の好きな香りのするシールを選んで携帯電話機の通話口の付近に貼着すればよいので、使用者の嗜好に迅速に対処できる。
【発明を実施するための最良の形態】
【０００６】
以下、本発明の実施形態を添付図面に基づいて詳細に説明する。
図１は本発明の携帯電話機用芳香シールの貼られた携帯電話機を示す図、図２は同シールの使用前の断面図である。
【０００７】
このシール１は、芳香を発する芳香発散層２と、芳香発散層２の裏面に設けた粘着層３と、粘着層３を覆う剥離紙４からなる。芳香発散層２は香料の含浸された不織布で構成されている。香料としては、市販されているレモン香料、ペパーミント香料、ラベンダー香料などを使用すればよい。市販の香料は香りが強過ぎるため、水で希釈して使用するのが好ましい。その際、増粘剤としてアルコールを添加しておくとよい。また、不織布を携帯電話機５の筐体６と同じ色彩にするための着色剤を混入しておくとよい。
【０００８】
このシール１は、使用者の好きな香りのするものを選んで携帯電話機５の通話口６の付近に貼着しておく。使用者は自分の好きな香りを嗅ぎながら通話することがでるので、気持ちが良くなる。携帯電話機５の使用者が変わった場合、新しい使用者の好きな香りを発するシール１に貼り代えればよい。つまり、シール１の貼り代えだけで使用者の嗜好に迅速に対処できる。また、シール１は携帯電話機５の筐体６と同じ色彩であるため、外観が損なわれることはない。
【０００９】
ところで、公衆電話や加入電話は複数の人が使用するものなので、このシール１を貼ることは、使用者に不快感を与える虞があり適当でない。しかし、携帯電話機５は特定の個人が使用するものなので、このシール１を貼っても、そのような問題は生じない。
【図面の簡単な説明】
【００１０】
【図１】本発明のシールの貼られた携帯電話機を示す図である。
【図２】同シールの使用前の断面図である。
【符号の説明】
【００１１】
１      シール
２      芳香発散層
３      粘着層
４      剥離紙
５      携帯電話機
６      筐体
７      通話口
【図１】
2008219822.tif 000003
【図２】
2008219822.tif 000004
(57)【要約】【課題】  洗濯ハンガーに洗濯物を取り付ける際、現状の仕組みでは自由に動き回る洗濯ピンチの位置固定と挟み口を開くために、片方の手で、洗濯ピンチの後方部分を保持すると同時にはさみ口を開きながら、もう一方の手で目的の洗濯物を挟み口の間に位置付けて、洗濯ピンチを保持している側の手のはさみ圧力をゆるめることにより、洗濯物のはさみ込みが完了する手順となっており作業が煩雑である。【解決手段】洗濯物を洗濯ピンチの挟み口の面に押し当てるだけの動作で洗濯ピンチの挟み口を同時に開かせることが出来るようにして。洗濯物をそのまま挟み口の面にそって挟み口の中に送り込み、押し圧力をゆるめればそのまま洗濯ピンチ自身のばねによる挟み込みが完了するようにする。【選択図】図１
2008289607.tif 000002
【特許請求の範囲】
【請求項１】
洗濯ピンチの一方の挟み口の面の先端部分の形状を、対向する挟み口よりも長くまた、ひとまわり大きな表面の滑らかな押し当て面にして、
その面に人差し指と拇指で保持した洗濯物を直接押し当てて、挟み口を押し開けながら挟み込むことが出来るような受け口状の形状にして、
その挟み口を押し開く力に対抗する反半作用力を、相対する挟み口側に同側の手の中指、薬指又は小指により加えることが出来るような
指掛け構造を付加して、挟み口を押し開けると同時に洗濯物をピンチの挟み口に片手の操作で挟み込み及び取り外し可能な片手着脱洗濯ピンチ。
【発明の詳細な説明】
【技術分野】
【０００１】
本発明は、従来の洗濯ピンチを多数ぶらさげている一般的な洗濯ハンガーで使用されている洗濯ピンチの構造に工夫を加えることにより、
洗濯物の洗濯ハンガーへの取り付け作業効率を改善するものである。
【背景技術】
【０００２】
現状での一般的な洗濯ハンガーの構造は軽量である程度の強度が保たれている枠構造にいろいろな形状の洗濯物の着脱ができるように、
枠構造の下面に多数の洗濯ピンチが鎖などにより下向きにぶら下げられており、
実際に洗濯物を取り付けるときは空いている方の手で洗濯ピンチの後方部分を固定保持し、そこに手指で挟み圧力をくわえて先端側のはさみ
口を開きながら、もう一方の手で目的の洗濯物を挟み口の間に位置付け、洗濯ピンチを保持している側の手を離して洗濯
ピンチのばね自身によるはさみ込みの力で挟み付ける様になっている。
【特許文献１】特開２００１−２２４８９６
【発明の開示】
【発明が解決しようとする課題】
【０００３】
洗濯ハンガーに洗濯物を取り付ける際、作業者は両手で洗濯物のしわを伸ばしながらそのまま干す状態で洗濯ハンガーに取り付けたいという心理が生ずる、しかし現状の仕組みではぶらぶらと動き回る洗濯ピンチの位置固定と挟み口を開くために、やむなく一方の手をせっかくしわを伸ばした洗濯物から離し背景技術の段落０００２に記述する動作を繰り返し行なっている。そうした取り付け動作の済んだ後、もう一度洗濯物を持ち直し軽く引いてしわを伸ばす動作を行なっている。
このように現状では動作の切り替えが多く煩雑であるため作業効率が悪く手間がかかるため片手のみの操作で洗濯ピンチに洗濯物の着脱を可能にする。
【課題を解決するための手段】
【０００４】
洗濯ハンガーにふらつきの無い程度に一定方向に向けて固定された洗濯ピンチの可動側の一方の挟み口の面の先端部分の形状を、
対向する挟み口よりも長くまた、ひとまわり大きな表面の滑らかな面にして、その押し当て面に人差し指と
拇指で保持した洗濯物を直接押し当てて挟み口を押し開けながら挟み込むことが出来るような受け口状の形状にする。
その挟み口を押し開く力に対抗する反作用力を、相対する挟み口側に洗濯物を持たない中指、薬指又は小指により加える
ことが出来るように指掛け構造を付加して、挟み口を押し開けると同時に洗濯物をピンチの挟み口に片手の操作で挟み込みが出来るようにする。
【発明の効果】
【０００５】
従来に比べて洗濯ピンチの後方を保持して挟み口を開く方のもう一方の手の動作がまったく不要となるため、洗濯物干し動作が半減し作業効率が
良くなり、洗濯に関する家事労働としての負担が大幅に軽減する。また洗濯物のしわを両手でのばしたまま取り付け作業ができるため、きれいに干すことが出来、洗濯ハンガー作業を心理的にも快適なものとする効果がある。この発明により毎日の家事としての洗濯物の点数が多い場合は時間的にも心理的にも非常に高い改善効果がある。
さらに片手が不自由な場合は、従来の方式に比較してその作業効率の改善は非常に大きい。
【発明を実施するための最良の形態】
【０００６】
以下本発明の実施の形態を説明する。
（イ）本発明は従来の洗濯ピンチの挟み口を開くために指で挟み保持する足の部分の一方（１）を洗濯物枠にふらつきの無い程度に固定し、
他方（２）は可動側としてそのままとする。
（ロ）ピンチの洗濯物挟み口の可動側（２）の口先を固定側（１）の口先よりも長く飛び出し且つ、ひとまわり大きい表面が滑らかな面（３）
となるような構造とする。
洗濯物を取り付ける際は洗濯物をこの滑らかな表面（３）に親指ごと押し付けて洗濯ピンチの可動側（２）の口を押し開けながらその中に洗濯物を
すべらせて送り込み、そのまま押し圧力を弱めると挟み部分が閉じて洗濯物は挟み部分に挟みこまれる。
（ハ）挟み口を押し開く力に対向する反作用力を洗濯ピンチに与えることが出来る様に、相対する手前の固定側挟み口（１）に洗濯物を持たない同じ手の中指、
又は薬指を引っ掛けることができる構造（５）を付加して、片手の操作のみで挟み口を押し開けると同時に洗濯物をピンチの挟み口に挟み込みが
出来るようにする。
本発明を使用するときは洗濯ハンガーに洗濯ピンチの固定側（１）と可動側（２）を一定方向に揃えて、ある程度固定された状態で取り付け、
手に持った洗濯物を一定の動作で容易に押し当て面（３）に位置付けることが出来る様にする。
洗濯物を押し当て面に位置付けたら、前述の通り同側の手の中指又は薬指を対向する挟み口側の指掛け構造（５）に引っ掛けて手前方向に引きながら、
拇指側の押し当て圧力を強めると挟み口が開き始める、そこで両手で持ったままの洗濯物を保持している手の拇指ごと挟み口の奥に送り込み、
そのまま拇指の押し圧力をはずすと洗濯物はピンチの挟み口に左右其々の片手だけの操作で挟み込まれる。
【図面の簡単な説明】
【０００７】
【図１】一回り大きな挟み口（３）を持った可動側（２）と中指又は薬指の指掛け構造（５）を付加した固定側（１）の洗濯ピンチの様子を示した概念図である。
【符号の説明】
【０００８】
１  洗濯ピンチ固定側
２  洗濯ピンチ可動側
３  押し当て面
４  洗濯ピンチばね
５  中指薬指掛け
【図１】
2008289607.tif 000003
(57)【要約】【課題】もっと軽量の上、成形がより容易で、且つ耐磨耗性も制振能も従来より高いゴルフクラブヘッド用合金を提供しようとすることをその目的とする。【解決手段】アルミニウム７．８〜１０．０重量％、モリブデン２．０重量％未満、バナジウム２．０重量％未満、珪素２．０重量％未満、及び残部としてのチタンを含んだゴルフクラブヘッド用合金を提供する。【特許請求の範囲】
【請求項１】
アルミニウム７．８〜１０．０重量％、モリブデン２．０重量％未満、バナジウム２．０重量％未満、珪素２．０重量％未満、及び残部としてのチタンを含んだことを特徴とするゴルフクラブヘッド用合金。
【請求項２】
比重が４．２乃至４．３にあることを特徴とする請求項１に記載のゴルフクラブヘッド用合金。
【発明の詳細な説明】
【技術分野】
【０００１】
この発明は、ゴルフクラブヘッド用合金に関し、特に、軽量の上、成形が容易で、且つ耐磨耗性も制振能も高いゴルフクラブヘッド用合金に関する。
【背景技術】
【０００２】
従来のゴルフクラブヘッド用合金は、様様あるが、チタンのマトリックスで、アルミニウム、モリブデン、バナジウムなどを含んだもの、例えば(６Ａｌ-４Ｖ Ｔｉ)合金及び（６Ａｌ-１Ｍｏ-１Ｖ-２Ｚｒ Ｔｉ）合金などが、軽量の上、耐磨耗性も制振能も高いので、よく使われている。
【０００３】
しかし、このようなチタンマトリックス合金は、ゴルフクラブヘッド用のものとして、まだまだ理想だとは言えない。例えば、軽量の点ついて、一般のゴルファーは、１００ｇくらい下げられればいいなぁーと手にあるゴルフクラブを撫でながらアンケートに回答し、手に答える振動について、もっと小さければと、そして、クラブヘッド先の摩耗された傷を見ながら、耐磨耗性がもっと高ければと惜しんで言うことも普段見られる。なお、使用者ばかりでなく、生産者の方からも、時々、もっと成形しやすければと聞いたことがある。
【発明の開示】
【発明が解決しようとする課題】
【０００４】
前記に鑑みて、本発明は、もっと軽量の上、成形がより容易で、且つ耐磨耗性も制振能も従来より高いゴルフクラブヘッド用合金を提供しようとすることをその目的とする。
【課題を解決するための手段】
【０００５】
前記目的を達成するために、本発明は、アルミニウム７．８〜１０．０重量％、モリブデン２．０重量％未満、バナジウム２．０重量％未満、珪素２．０重量％未満、及び残部としてのチタンを含んだゴルフクラブヘッド用合金を提供する。
【発明の効果】
【０００６】
前記組成による合金は、発明者の試験製作によると、比重が０．２５位下がるので、従来より１００ｇ下がるゴルフクラブヘッドを製造することができる。これは、組成におけるアルミニウムの増加によるのだと思われる。
【０００７】
前記組成による合金は、発明者の試験製作によると、伸び率が０．５〜２％上がるので、従来より制振能の良い、即ち安定性が高いゴルフクラブヘッドを製造することができる。これは組成の比例によるのだと思われる。例えばアルミニウムの増加は、合金結晶をもっと細かくさせる効果があり、特にモリブデン及びバナジウムをそれぞれ従来の１．０重量％（（６Ａｌ-１Ｍｏ-１Ｖ-２Ｚｒ Ｔｉ）合金の場合、アルミニウム６．０重量％、モリブデン１．０重量％、バナジウム１．０重量％ 、ジルコニウム２．０重量％）から１．８重量％か２．０重量％未満に上げた場合、その効果がもっと良い。
【０００８】
前記組成による合金は、発明者の試験製作によると、降伏強さが２〜１０％上がるので、従来より耐摩耗性の良いゴルフクラブヘッドを製造することができる。これも組成の比例によるのだと思われる。これも、アルミニウムやモリブデン、バナジウムの増加による合金結晶の微細化が原因であろう。
【０００９】
また、前記組成による合金は、珪素を含んでいるので、溶融状態での流動性が良く、ゴルフクラブヘッドへの鋳造成形性が従来より遥かに良い。前記組成による合金は、結晶が従来より細かいので、それを用いて鋳造成形したゴルフクラブヘッドの表面が緻密で、打球時の施力が打球面の微細なでこぼこによって分散されることなく、ボールを従来より方向正しく飛ばすことができる。
【発明を実施するための最良の形態】
【００１０】
以下、実施例により、従来例と対比しながらこの発明を更に説明する。
この実施例における本発明のゴルフクラブヘッド用合金は、アルミニウム８．０重量％、モリブデン１．０重量％、バナジウム１．０重量％、珪素１．０重量％を含んだチタンマトリックス合金である。
この合金の製造方法は、従来の方法と同様であるので、ここでそれらを省く。
【００１１】
表１は、この合金から試料を取って測定した機械性質を(６Ａｌ-４Ｖ Ｔｉ)合金及び（６Ａｌ-１Ｍｏ-１Ｖ-２Ｚｒ Ｔｉ）の機械性質と羅列してなるものである。
【００１２】
【表１】
2008289644.tif 000002
【００１３】
この表１から分かるように、本発明の合金は、伸び率が（６Ａｌ-１Ｍｏ-１Ｖ-２Ｚｒ Ｔｉ）合金に対し０．５％、(６Ａｌ-４Ｖ Ｔｉ)合金に対し２％上がるので、従来より制振能の良い、即ち安定性が高いゴルフクラブヘッドが作れる。
【００１４】
本発明の合金は、降伏強さが（６Ａｌ-１Ｍｏ-１Ｖ-２Ｚｒ Ｔｉ）合金に対し２％、(６Ａｌ-４Ｖ Ｔｉ)合金に対し１０％上がるので、従来より耐摩耗性の良いゴルフクラブヘッドが作れる。
【００１５】
本発明の合金は、抗張強度が（６Ａｌ-１Ｍｏ-１Ｖ-２Ｚｒ Ｔｉ）合金に対しても、(６Ａｌ-４Ｖ Ｔｉ)合金に対しても７．５％位上がるので、従来より強度の良いゴルフクラブヘッドが作れる。
【００１６】
本発明の合金は、密度が（６Ａｌ-１Ｍｏ-１Ｖ-２Ｚｒ Ｔｉ）合金に対し０．２５ｇ/ｃｍ３、(６Ａｌ-４Ｖ Ｔｉ)合金に対し０．３１ｇ/ｃｍ３下がるので、従来より重量の８０ｇ〜１２０ｇ位下がり、且つ結晶が従来より細かくて表面が緻密であるゴルフクラブヘッドが作れる。こういうゴルフクラブヘッドを使用すると、打球時の施力が打球面の微細なでこぼこによって分散されることなく、ボールを従来より方向正しく飛ばすことができる。
【００１７】
また、本発明の合金は、珪素を含んでいるので、溶融状態での流動性が良く、ゴルフクラブヘッドへの鋳造成形性が従来より遥かに良い。
【００１８】
なお、本発明のゴルフクラブヘッド用合金は、種々のゴルフクラブヘッド及びヘッド本体における各部分、例えばウッドやアイアンにおけるクラウン部、ソール部、フェース部、及びサイド部等にも利用される。
【００１９】
以上説明した実施形態は、あくまでも本発明の技術的内容を明らかにする意図のものにおいてなされたものであり、本発明はそうした具体例に限定して狭義に解釈されるものではなく、本発明の精神とクレームに述べられた範囲でいろいろと変更して実施できるものである。
【産業上の利用可能性】
【００２０】
叙上のように、本発明によるゴルフクラブヘッド用合金は、比重が下がり、機械強さが上がる上、成形加工性も良いので、従来より軽量の上、耐磨耗性も制振能ももっと高い上、製造コストを大いに下げることができる。使用者も、生産者の方も、満足することができる。
(57)【要約】【目的】  被打撃者の衝撃を緩和して安全性を向上させると共に、長手方向の撓みを抑える曲げ強度を有することで、強く振り回しても打撃者の思い通りに取り扱いができて操作性がよいソフト打撃棒を提供することにある。【構成】  グリップと、そのグリップの一端に固着した芯部と、その芯部の外側に被着した柔軟性を有する外筒部とからなるソフト打撃棒において、前記芯部と外筒部との間に、外周に複数の開口部を形成した合成樹脂製の補強筒とその補強筒の内周に沿う柔軟性を有する緩衝部とからなる中筒部を装着したことを特徴とする。【選択図】 図１
2008289751.tif 000002
【特許請求の範囲】
【請求項１】
グリップと、そのグリップの一端に固着した芯部と、その芯部の外側に被着した柔軟性を有する外筒部とからなるソフト打撃棒において、前記芯部と外筒部との間に、外周に複数の開口部を形成した合成樹脂製の補強筒とその補強筒の内周に沿う柔軟性を有する緩衝部とからなる中筒部を装着したことを特徴とするソフト打撃棒。
【発明の詳細な説明】
【技術分野】
【０００１】
この発明は竹刀やこん棒などを使用する剣術等の競技について重装備な防具を装着しないでも身軽な格好で対戦できるように打撃の際の衝撃が緩和されたソフト打撃棒に関する。
【背景技術】
【０００２】
従来、この種の打撃棒として、硬質樹脂製パイプ等により形成した芯部とその外側に被着させる柔軟な発泡樹脂材、例えば、発泡ポリエチレンや発泡ゴム等で形成した円筒状の外筒とから構成されたものが開示されている。
【特許文献１】特開２００４−２０８９１１号
【特許文献２】特開実０３−５４６７３号
【特許文献３】実開昭５２−６６２７４号
【発明の開示】
【発明が解決しようとする課題】
【０００３】
上記従来の打撃棒では、打撃棒を手軽に取扱うことができる外径５０ｍｍ程度の太さに形成する場合において、硬質材料で形成する芯部の外径を細くして、柔軟な材料で形成する外筒の肉厚を厚く設定すれば、被打撃者への衝撃は少なくなるものの、強く振り回した際に打撃棒の長手方向に大きく撓んで打撃者の思い通りに取り扱うことができず、反対に芯部の外径を太くして外筒の肉厚を薄く設定すれば、振り回した際の長手方向への撓みは抑制することができるが、被打撃者への衝撃は大きくなるなどの問題点があった。
【０００４】
この発明は上記従来の課題に鑑みなされたもので、その目的は、被打撃者の衝撃を緩和して安全性を向上させると共に、長手方向の撓みを抑える曲げ強度を有することで、強く振り回しても打撃者の思い通りに取り扱いができて操作性がよいソフト打撃棒を提供することにある。
【課題を解決するための手段】
【０００５】
その手段として、グリップと、そのグリップの一端に固着した芯部と、その芯部の外側に被着した柔軟性を有する外筒部とからなるソフト打撃棒において、前記芯部と外筒部との間に、外周に複数の開口部を形成した合成樹脂製の補強筒とその補強筒の内周に沿う柔軟性を有する緩衝部とからなる中筒部を装着したことを特徴とする。
【発明の効果】
【０００６】
本発明によれば、芯部と外筒部との間に、外周に複数の開口部を形成した合成樹脂製の補強筒とその補強筒の内周に沿う柔軟性を有する緩衝部とからなる中筒部を装着したことにより、長手方向の曲げ強度を強化することができると共に、打撃時の衝撃を吸収することができる。
すなわち、芯部の長手方向の曲げ強度を中筒部の合成樹脂製の補強筒の装着により強化することで打撃者が強く振り回したときの長手方向の撓みを抑制することができ、思い通りに取り扱いができて操作性が向上する。
また、補強筒の外周には複数の開口部を形成したことで、打撃時に受ける部分的な外圧に対してその一部が撓むことで衝撃を吸収し、更に、補強筒の内周に沿う柔軟性を有する緩衝部を備えたことでその衝撃を吸収する効果は大きくなり安全性を高めることができる。
【発明を実施するための最良の形態】
【０００７】
以下に、本発明の好適な実施形態を添付図面を参照して詳細に説明する。
図１は本発明に係るソフト打撃棒の実施例を示す説明図であり、図２は部分縦断面図、図３は中筒部の部分拡大図である。
【０００８】
１は合成樹脂製パイプからなるグリップであり、その一端に芯部２を固着するが、その固着方法としてビスや接着剤を使用することができる。
また、グリップ表面にスベリ止め用のテープ１ａを巻着すると握り具合がよく、グリップ端部にはキャップ１ｂを取り付けて安全性を高める。
芯部２は合成樹脂製パイプからなり外径１５ｍｍ程度の大きさとする。
３は円筒状の中筒部であり、補強筒４の内周に沿う緩衝部５とから構成されており、補強筒４は外径３０ｍｍ程度、肉厚２ｍｍ程度の合成樹脂製の円筒形状とし、その外周に２〜３ｍｍ程度の大きさの開口部６・・を複数形成する。
補強筒４は外周に形成する開口部６・・の個所数又は、補強筒の外周面積に占める開口部面積の割合によって長手方向の曲げ強度及び柔軟性の調整が可能となる。
緩衝部５は外径２５ｍｍ程度、肉厚５ｍｍ程度の円筒形状とし、発泡ポリエチレンや発泡ウレタン、発泡ゴムなどの柔軟性を有する材料により形成し、補強筒４の内周に沿うように嵌着する。
中筒部３は芯部２の外側から嵌挿してグリップ１側の端部に粘着テープを巻き付けて固定する。
７は外筒部であり、発泡ポリエチレンや発泡ウレタン、発泡ゴムなどの柔軟性を有する材料により外径５０ｍｍ程度、肉厚１０ｍｍ程度の円筒形状に形成する。
外筒部７は中筒部３の外側から嵌挿してグリップ１側の端部に粘着テープを巻き付けて固定する。
８は布製袋状のカバーであり、外筒部７の外側から嵌挿してグリップ１側の端部を固定する。
【図面の簡単な説明】
【０００９】
【図１】本発明の実施例を示す説明図
【図２】本発明の実施例を示す部分断面図
【図３】本発明の中筒部を示す部分拡大図
【符号の説明】
【００１０】
１  グリップ
２  芯部
３  中筒部
４  補強筒
５  緩衝部
６  開口部
７  外筒部
８  カバー
【図１】
2008289751.tif 000003
【図２】
2008289751.tif 000004
【図３】
2008289751.tif 000005
(57)【要約】【課題】入浴時の浴槽の蓋の折りたたみ、及び壁面への立てかけ等の取扱いを容易にして入浴時に、浴槽の蓋を狭い浴室内で簡単な操作でコンパクトに片付けることができるようにする。【解決手段】浴槽の蓋を浴槽の大きさに応じた２〜３枚の折りたたみ構造にして蓋板の折りたたみの回転軸を重ねあわせる蓋の板厚に応じて板厚の中心面上からずれた構造にすることにより、簡単な操作で折りたたんだ際にそれぞれの蓋板が平行にぴったりと重ねあわされ、片手での取扱いを容易であり見た目にも良く片付いた印象をあたえて入浴を快適なものにする。【選択図】図１
2008289757.tif 000002
【特許請求の範囲】
【請求項１】
入浴時の浴槽の蓋を簡単にコンパクトに折りたたむことが出来るように、折りたたみ蝶番部分の回転軸の中心を蓋板の板厚の
中心からずらせることにより、折りたたみ時の蓋の厚みに影響されること無く、ぴったりと平行に重ね合わせができる
取扱い容易な重ね合わせ折りたたみ浴槽蓋。
【発明の詳細な説明】
【技術分野】
【０００１】
本発明は、入浴時に浴槽用の蓋を折りたたんだ時の重ね合わせの状態が、片手だけの簡単な操作でぴったりとなるように折りたたむ
ことができるように工夫した、折りたたみ部分の構造に関するものである。
【背景技術】
【０００２】
浴槽の蓋は入浴時には入浴の妨げとならないように容易に且つ、可能な限り薄く小さくたたまれるような工夫がなされている。
【特許文献１】特開２００５−０７３８８２
【特許文献２】特許公開平１１−３１３７７０
【発明の開示】
【発明が解決しようとする課題】
【０００３】
従来の浴槽の蓋をコンパクトにする方法は大きく分けて蛇腹方式と分割方式があるが、蛇腹方式は折りたたみ部分を多くすることにより、
その形状に自由度をあたえることにより浴槽の上に重ね置きしたり、小さく丸めて洗い場の隅に立てかけて使う様になっている。
この方式の問題点は折口が多いため折りたたむのに手間が必要である、浴槽上面は通常やや低い位置にあるため、折りたたみや開くためには
少しかがみ込むような無理な姿勢をとらざるを得ない、又完全に折りたたんでも立体としての厚みが大きくなり浴室の隅に立てかけても片付いた
感じがしないし折りたたみの型崩れがしないように両手であつかわければならない。
さらに折口の多さは表面形状を複雑にするため、隙間にカビ等の汚れが生じやすくまた、その汚れを落としにくい。 
【０００４】
分割方式は一枚では大きくなるため、複数枚の連結されていない蓋を組み合わせて使っている。
分割方式の欠点は２枚では板が大きく取扱いにくい。また、３枚を超えると複数枚の蓋を整えた状態で浴槽の壁に立てかけるために手間を要する。
【課題を解決するための手段】
【０００５】
本発明は、浴槽の蓋を浴槽の大きさに応じて２〜３枚折としてその厚みのある蓋板を片手で容易にコンパクトに折りたたむことができるように、
折りたたみ動作に必要な蝶番の回転部分の中心軸を蓋板の板厚中心面からずらした位置に配置することにより、折りたたまれた状態で
それぞれの蓋板を無理なく平行にコンパクトに重ね合わせることができる。
【発明の効果】
【０００６】
本発明により、２〜３枚組みの浴槽の蓋の折りたたみ状態を片手だけの簡単な操作で最適な一定の形にすることが出来るため、
入浴時の浴槽のふたを取り扱うときの煩わしさを軽減する利点がある。
【発明を実施するための最良の形態】
【０００７】
折りたたむ蓋板の枚数は浴槽の大きさにより２枚〜３枚とする。
３枚組の中央に配置する蓋板Ａ（１）の両端に環状に一体化成型された蝶番の外周軸受けをもうけ、対応する両側のそれぞれの
蓋板Ｂ（２）及び蓋板Ｃ（３）に、蓋板Ａ（１）の環状の蝶番外周軸受に入るようにそれぞれの蓋板に一体成型された軸を設けて
その軸を蓋板Ａ（１）の環状の蝶番外周軸受に嵌め込む。
【０００８】
蓋板の折りたたみにより回転する蝶番の中心軸は、厚みのある互いの蓋板が無理なく平行状態に重ね合わせが出来る様に
伸展状態の互いの蓋板の厚みの中心面からずれた位置になる様に位置付ける。
この最も適切な位置は折りたたんで重ね合わせた状態での夫々の蓋板の各板厚の中心面（４、５）の中央（６）である。
【０００９】
本発明を３枚の蓋板で使用する際には本発明の回転軸構造を有する蝶番を介して中央の蓋板Ａに対して、左に蓋板Ｃ、右に蓋板Ｂの折りたたみ蓋
を連結する。
折りたたみ状態図２及び３は、本発明の３枚の場合の実施例の側面図であって、中央の基本構造となる蓋板Ａを中心にその両端に
連結された蓋板Ｃ（１）と蓋板Ｂ（２）の折りたたみ方向は浴槽に置かれた上方向として、折りたたむ際は蓋板Ｃを先に折りたたみ、蓋板Ｂ
は先に折りたたまれた蓋板Ｃを蓋板Ａとの間に挟み込むように折りたたむ。
こうすることにより２枚の板に挟まれた蓋板Ｃが固定され、平行にぴったりと重ね合わされた３枚の板を安定した固定状態に保つことが出来、
片手で容易に浴槽の壁面まで移動して立てかけることができる。
【００１０】
本発明の浴槽蓋の伸展時にそれぞれの板の回転軸部分でぶつかりあう木口部分は伸展時に強い挟み力が加わるため指などの挟みこみによる事故を
回避するためやわらかい材質であることが望ましい。
【図面の簡単な説明】
【００１１】
【図１】３枚組みの片方折たたみ状態の斜め上から見た様子を示した説明図である。
【図２】３枚組み折たたみ状態の側面から様子を見た説明図である。
【図３】３枚組み伸展状態の側面から様子を見た説明図である。
【符号の説明】
【００１２】
１  蓋板Ａ
２  蓋板Ｂ
３  蓋板Ｃ
４  蓋板Ｂ板厚の中心面位置
５  蓋板Ａ板厚の中心面位置
６  蓋板Ａ及び蓋板Ｂが蓋板Ｃを挟み込んで平行に重なる蝶番の中心線位置
【図１】
2008289757.tif 000003
【図２】
2008289757.tif 000004
【図３】
2008289757.tif 000005
(57)【要約】      （修正有）【課題】オムツ交換を一人で容易にでき、病室において異臭の異臭を防ぐことが出来る介護ベッドを提供する。【解決手段】台１及びクッション３を分割式とし、受け台２を片扉、両扉、水平移動式、ジャバラ式等により、お尻のまわりにシャワー台車（台車、シャワー、タンク、コロ）を入れ込み出来る空間がとれ、かつ受け台２を降ろした時お尻が下がるのを防ぐために受け台補助２ａを当てられるように設けるとともに、分割式の台１をつなぎ棒５、６で台が安定するようにする構成とする。さらに上半身のずれ防止に棒類７、他にひも類等を取り外し可能な構造にして、オムツ交換が簡単に出来る構成とする。【選択図】図１
2008289709.tif 000002
【特許請求の範囲】
【請求項１】
台（１）、クッション（３）を分割式にし、受け台（２）を片扉、両扉、水平移動式、ジャバラ式等の構造で、お尻のまわりに空間がとれる構造にし、空いた空間にシャワ−台車（台車８、シャ−ワ−９、タンク１０、コロ１１）を入れ込み出来る構造とし、分割式の台（１）をつなぎ棒（５、６）で台が安定するようにし、上半身のずれ防止に棒類（７）、他にひも類等を取り外し可能な構造にして、オムツ交換が簡単に出来、交換時に清潔さが常に保たれるように洗う事等が一人で出来る構造にしたものである。又、受け台（２）を降ろした時お尻が下がるのを防ぐために受け台補助（２ａ）を当てられるように設ける。
【発明の詳細な説明】
【技術分野】
【０００１】
本発明は人間が対照なので安全に安価に考え、誰でも介護が一人で可能なようにオムツ
交換部を広くとり、汚水入れとベット部を分割出来るようにし患者、介護側がストレス
を少しでも減らせるよう考案した。また頭部側もシャワ−台車が兼用出来るよう改良等
が簡単に出来るように台を分割式にした。又、台の構造も細かく分解、収納しやすく、
使用しない時などは小さく収納出来るようにブラケット等で連結させ、組付け、分解が
簡単に出来るような構造とした。
【背景技術】
【０００２】
現実の作業のやり方としてオムツ交換などは、二人がかりでオムツを交換をする所も
ある。またオムツ交換したときなど糞尿などが肌に付いたままになることもあるため
肌が荒れることもある。また、糞尿などがきれいに拭きとれないために異臭を放つ
こともある。
【発明の開示】
【発明が解決しようとする課題】
【０００３】
本発明は近年老人の比率が多くなりこれからも老人の占める割合が多くなると言われ
介護の必要性が重要になる。オムツ交換は一人でするには大変だし、病室の例だが
寝たきりの病室の中は異臭がする。また介護疲れで家族を犠牲にと言う話もある。
オムツ交換は二人で交換する所もあり、介護用施設では二倍人件費がかかる。
ましてや、一般の家庭では二人がかりでというわけにも行かない。これらの課題を解決
する為に本発明を考えた。                  
【課題を解決するための手段】
【０００４】
lang=EN-US>本発明は、台（１）を基本に形は普通のベットと同じようにし、食べればみんな同じ
に排便、排泄が必要になる為の箇所を空けるように工夫し、空間を利用してオムツ交換
が一人で楽に行えるようにする。オムツ交換のさい、汚物、小便が肌に付いてる為の
解決としてシャワ−台車を使用し、洗いながし、その汚水を受け容器に受けその汚水を
トイレに流すようにすれば、普通にオマルを使用するように使える。
また、人体の上側の掛け物４もお尻の部分あたりから分割方式にすれば部分のみまくってオムツ交換等の一連の仕事がやりやすくなる。、、
【発明の効果】
【０００５】
このようにすれば、今までオムツ交換、異臭、衛生上の問題、人件費の問題も解消され
一般の家庭の中でも一人で楽に清潔な介護が可能になり、介護する人の精神的負担が
軽減できる。シャワ−台車をトイレ代わりにも使用でき、トイレ後お尻等をきれいに
洗うことが出来る。
【図面の簡単な説明】
【０００６】
【図１】全体図
【図２】シャワ−台車全体図
【図３】空間にする為の方法図
【符号の説明】
【０００７】
１  台  
２  受け題
２ａ  受け台補助
３  クッション
４  掛け物
５  つなぎ棒
６  つなぎ棒
７  棒
８  移動台
９シャワ−
１０タンク
１１コロ
【図１】
2008289709.tif 000003
【図２】
2008289709.tif 000004
【図３】
2008289709.tif 000005
(57)【要約】【課題】携帯可能な容器に入れた温かい水を使うことにより、飲む人の体を冷やすことを防ぎ、赤ちゃんに粉ミルクを溶いて飲ませるための溶液として使え、味や香りが無いため口内を本質的にさっぱりでき、カフェインを含んでないので眠れなくならず、水本来が持つ微妙な味を堪能でき、体に必要な水分を適切に（成人男性２リットル／日）摂取することができる。【解決手段】人間が飲料として飲む適切な範囲で水を加温し、携帯可能な容器に入れて提供する。【選択図】図１
2008289461.tif 000002
【特許請求の範囲】
【請求項１】
携帯可能な容器に入れられた温かい水である新飲料。
【発明の詳細な説明】
【発明の詳細な説明】
【技術分野】
【０００１】本発明は、水を原料として得られる新しいタイプの飲料に関する。
【背景技術】
【０００２】従来、低温（１０℃以下）で提供される水や、低温だけではなく、温かいお茶又はコーヒーなどの飲料が携帯可能な容器に入れられてあった。過去には、参考文献１に示すような新飲料がある。
【参考文献】
特許公開２０００−５０８０１  ［００３２］〜［００３５］コーヒー豆を使用した新飲料
【発明の開示】
【発明が解決しようとする課題】
【０００３】これは次のような欠点があった。
（イ）低温であるため、飲む人の体を冷やしてしまう。
（ロ）赤ちゃんに粉ミルクを溶いて飲ませるための溶液として適さない。
（ハ）味や香りが強いため、口内を本質的にさっぱりすることができない。
（ニ）カフェインが含まれており眠れない。
（ホ）水本来が持つ微妙な味を堪能できない。
（ヘ）体に必要な水分を適切に（成人男性２リットル／日）摂取するのが難しい。
本発明はこれらの欠点を除くためになされたものである。
【課題を解決するための手段】
【０００４】人間が飲料として飲む適切な範囲で水を加温し、携帯可能な容器に入れて提供する。
本発明は、以上のような構成によりなる温かい水である新飲料である。
【発明を実施するための最良の形態】
【０００５】  以下、本発明の実施の形態を説明する。
水を携帯可能な容器に入れ、自動販売機若しくは店頭の保温器に入れる。もしくは、販売時に携帯可能容器に注入する形でも良い。従来のお茶やコーヒーの代わりに配置すれば、装置の機器構成の変更は最小限で済み、すぐに実施可能であることから経済的である。原料として用いる水は、味の豊かさから、鉱泉水、海洋深層水、ミネラルウォーターまたはナチュラルミネラルウォータが適切であるが、水道水、純水でも可能である。携帯型容器は、従来のペットボトル、瓶、スチール缶、アルミ缶または紙コップである。図１にペットボトルでの構成例を示す。単純であるが、自然界には存在しない飲物である。
【発明の効果】
【０００６】  本発明を使用することによって、体を暖めることができる。また、外出時など、赤ちゃん用に粉ミルクを溶くための溶液が入手しやすくなり、子育て環境の改善につながる。口内をさっぱりできる。カフェインが含まれないので、就寝前でもいつでも飲むことができる。水本来が持つ微妙な味を堪能することができ、ひいては食事に対する鋭敏な感覚を取り戻すことができる。体を冷やさず、糖分も含まないため、適切な量の水分を体に補給することができる。
以上のように、従来の携帯型容器に入れられた飲料の欠点を解決する。
【図面の簡単な説明】
【図１】  本発明の斜視図
【符号の説明】
１  温かい水
２  携帯型の容器（例としてペットボトルとした）
【図１】
2008289461.tif 000003